(57)【要約】【課題】異常時に電話をかけている時、別の異常が発生した場合、連絡する手段がない。【解決手段】機器として画像情報から人体を判定することができるカメラを設置し情報端末装置に登録する。カメラを起動させて画像を取得できる状態にする（Ｓ１１）。起動した後、カメラが取得した画像をもとにその移動物体が人体であるかどうか判定する（Ｓ１２）。この画像情報をもとに人体であることを検知すると（Ｓ１３）、その人体検知異常状態の情報を情報端末装置に送信する（Ｓ１４）。次に、この情報端末装置が取得した情報をもとに、情報端末装置に登録されている電話番号先に連絡をする（Ｓ１５）。その後、緊急コールボタンが押下されると(Ｓ１６)、その緊急情報が情報端末装置に送信され(Ｓ１７)、情報端末装置ではその情報をもとに緊急コールボタンが押下された時の緊急連絡先として登録されている外部電話の電話番号に電話をかける（Ｓ１８）。【選択図】図４
2006140877.tif 000002
【特許請求の範囲】
【請求項１】
機器に関する情報を収集する情報送受信部と、画像機器からの情報に基づいて電話発呼を行う情報処理部とを備えた情報端末装置からなり、前記画像機器が人体を検知した時に、前記画像機器からの情報に基づいて前記情報端末装置から指定された外部通信装置に電話発呼を行うことを特徴とする情報システム。
【請求項２】
機器に関する情報を収集する情報送受信部と、画像機器からの情報に基づいて電話発呼を行う情報処理部とを備えた情報端末装置からなり、前記画像機器が人体を検知した時に、前記機器からの情報に基づいて前記情報端末装置から指定された外部通信装置に電話発呼を行い、その後緊急コールボタンが押下された時、前記緊急コールボタンの指定された外部通信装置に電話発呼を行うことを特徴とする情報システム。
【請求項３】
機器に関する情報を収集する情報送受信部と、画像機器からの情報に基づいて電話発呼を行う情報処理部とを備えた情報端末装置からなり、前記画像機器が人体を検知した時に、前記機器からの情報に基づいて前記情報端末装置から指定された外部通信装置に電話発呼を行い、その後緊急コールボタンが押下された時、前記緊急コールボタンの指定された外部通信装置に電話発呼を行い、その後火災／ガス漏れセンサが反応した時は、前記火災／ガス漏れセンサの指定された外部通信装置に電話発呼を行うことを特徴とする情報システム。
【請求項４】
機器に関する画像情報を収集する情報送受信部と、画像機器からの画像情報に基づいて電話発呼を行う情報処理部とを備えた情報端末装置と、前記情報端末装置との間で画像情報を送受信する情報処理サーバ装置とからなり、前記画像機器が人体を検知した時や緊急コールボタンが押下された時、または火災／ガス漏れセンサが反応した時に、前記画像情報を前記情報端末装置を経由して、通信回線を介して情報処理サーバ装置に送信・保存し、前記情報端末装置で指定された外部通信装置に電話発呼を行うことを特徴とする情報システム。
【請求項５】
機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップとを備えてなる制御方法。
【請求項６】
機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップと、緊急コールボタンが押下された後、前記緊急コールボタンから前記情報端末装置に情報を送信するステップと、前記緊急コールボタンの指定された外部通信装置に電話発呼を行うステップとを備えてなる制御方法。
【請求項７】
機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップと、緊急コールボタンが押下された後、前記緊急コールボタンから前記情報端末装置に情報を送信するステップと、前記緊急コールボタンの指定された外部通信装置に電話発呼を行うステップと、火災／ガス漏れセンサが反応した後、前記火災／ガス漏れセンサから前記情報端末装置に情報を送信するステップと、前記火災／ガス漏れセンサの指定された外部通信装置に電話発呼を行うステップとを備えてなる制御方法。
【請求項８】
機器に関する情報を収集する情報送受信部と、画像機器からの情報に基づいて電話発呼を行う情報処理部とを備えた情報端末装置と、前記情報端末装置との間で画像情報を送受信する情報処理サーバ装置とからなる情報システムの制御方法において、前記画像機器が人体を検知する、または緊急コールボタンが押下される、または火災／ガス漏れセンサが反応するステップと、前記画像機器または緊急コールボタン、または火災／ガス漏れセンサからの情報を前記情報端末装置に送信するステップと、前記情報端末装置から指定された外部通信装置に電話発呼を行うステップと、前記画像機器が人体を検知した後、または緊急コールボタンが押下された後、または火災／ガス漏れセンサが反応した後、前記画像機器からの画像情報を前記情報端末装置に送信するステップと、前記画像機器からの画像情報を前記情報端末装置を経由して、通信回線を介して情報処理サーバ装置に送信するステップと、前記情報処理サーバ装置で前記画像情報を保存するステップとを備えてなる制御方法。
【請求項９】
機器が人体を検知した時や緊急コールボタンが押下された時、火災／ガス漏れセンサが反応した時に、前記画像情報を前記情報端末装置を経由して、通信回線を介して情報処理サーバ装置に送信・保存し、前記情報端末装置で指定された外部通信装置に電話発呼を行うものとしてコンピュータに機能させるためのプログラム。
【発明の詳細な説明】
【技術分野】
【０００１】
本発明は、機器が人体を検知した時に、情報端末装置で指定された外部通信装置に電話発呼を行い、画像情報を情報端末装置を経由して、通信回線を介して情報処理サーバ装置に送信・保存することに関する情報システム、制御方法およびそのプログラムに関するものである。
【背景技術】
【０００２】
従来、携帯電話に対して緊急呼出をかける情報端末装置は、利用者が身に付けている端末が人体の異常発生を検知すると、携帯電話に対して緊急呼出をかけるものがある（例えば、特許文献１参照）。これによって人体の異常な状態の時に他の人に知らせることができるものである。すなわち、端末を携帯している利用者が、急に気分が悪くなったり倒れたりしたような場合、その異常状態を端末が検知して登録されている携帯電話の番号に電話をかけるものである。
【０００３】
また、センサにより検出された検出データを、子機に送信しデジタルデータに変換し、親機に送信し、その送信情報に基づいて、携帯電話等に電話をかけるものもある（例えば、特許文献２参照）。これによってセンサが反応した時に外部の人に連絡をすることができるものである。すなわち、設置しているセンサが反応した時、親機に情報を送信し、親機に登録されている携帯電話等の番号に電話をかけて異常状態を知らせることができるものである。
【特許文献１】特開２００３−１０９１６０号公報
【特許文献２】特開２００３−２２４８９号公報
【発明の開示】
【発明が解決しようとする課題】
【０００４】
しかしながら、前記従来の前者の構成では、人体の異常を検知するために、利用者が端末を常に携帯しておく必要があるという欠点がある。また、携帯していても人体の異常が検知できなかったりした場合、電話することができなかったり、常に携帯しているので異常ではない衝撃に対しても反応し、間違って緊急連絡をすることがあるという課題がある。
【０００５】
さらに、人体の異常を検知して他の人の携帯電話に連絡しても、利用者は倒れて応答することができない場合もあるため、一方通行の連絡となってしまうこともあるという欠点もある。
【０００６】
また、前記従来の後者の構成では、センサにより検出された検出データを信号として用いるため、全ての領域をセンシングしようとするとセンサを多く配置する必要があるという欠点がある。従って、人を検知しようとすると例えば赤外線センサの検知領域を広くするか、ビーム型赤外線センサを多く設置する必要があるという課題がある。
【０００７】
さらに、センサの検出した検出データをもとに親機に登録されている携帯電話等に電話をかけた後、さらに異常状態が発生した場合、連絡する手段がないという大きな課題がある。
【０００８】
本発明は、このような課題を解決するために、機器に関する情報を収集する情報送受信部と、画像機器からの情報に基づいて電話発呼を行う情報処理部とを備えた情報端末装置とからなり、前記画像機器が人体を検知した時に、前記画像機器からの情報に基づいて前記情報端末装置から指定された外部通信装置に電話発呼を行い、その後緊急コールボタンが押下された時、前記緊急コールボタンの指定された外部通信装置に電話発呼を行い、その後火災／ガス漏れセンサが反応した時は、前記火災／ガス漏れセンサの指定された外部通信装置に電話発呼を行うことによって、異常状態検出時の電話発呼に対する利便性、正確性、信頼性を高めるようにしたものである。
【０００９】
このようにすることによって、異常状態を検知した時に情報端末装置から電話発呼を正確に優先度をつけて行うことができるので、人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができる。また、画像機器を用いて人体を判定するので、センサを用いる必要がなく、検知領域を広くすることができ、設置する機器数も少なくすることができ、コストも低く抑えることができる。さらに、画像機器が人体を判定した時や、緊急コールボタンが押された時、火災／ガス漏れセンサが反応した時に、画像機器からの画像情報を情報端末装置を経由して情報処理サーバ装置に送信することができるので、異常時の状態を携帯電話を用いて容易に確認することができ、異常状態検出時の電話発呼に対する利便性、正確性、信頼性を向上させることができる。
【００１０】
このようにして、本発明は、情報端末装置が各機器からの異常情報を受信した時に、それらの情報の優先度を判定し、その優先度に応じてそれぞれの登録された電話番号に電話連絡をし、さらに画像機器からの画像情報を情報処理サーバ装置に送信することによって、異常状態検出時の電話発呼に対する利便性、正確性、信頼性を高めることができるようにした情報システム、制御方法およびそのプログラムを提供することを目的とするものである。
【課題を解決するための手段】
【００１１】
前記従来の課題を解決するために、本発明の情報システムは、機器に関する情報を収集する情報送受信部と、画像機器からの情報に基づいて電話発呼を行う情報処理部とを備えた情報端末装置からなり、前記画像機器が人体を検知した時に、前記画像機器からの情報に基づいて前記情報端末装置から指定された外部通信装置に電話発呼を行い、その後緊急コールボタンが押下された時、前記緊急コールボタンの指定された外部通信装置に電話発呼を行い、その後火災／ガス漏れセンサが反応した時は、前記火災／ガス漏れセンサの指定された外部通信装置に電話発呼を行うことを特徴とする情報システムを提供するものである。
【００１２】
また、本発明の制御方法は、機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップと、緊急コールボタンが押下された後、前記緊急コールボタンから前記情報端末装置に情報を送信するステップと、前記緊急コールボタンの指定された外部通信装置に電話発呼を行うステップと、火災／ガス漏れセンサが反応した後、前記火災／ガス漏れセンサから前記情報端末装置に情報を送信するステップと、前記火災／ガス漏れセンサの指定された外部通信装置に電話発呼を行うステップとを備えてなる制御方法を提供するものである。
【００１３】
すなわち、本発明は、各機器から異常状態を検知した時に情報端末装置から電話発呼を正確に優先度をつけて行うことができるので、人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができる。
【００１４】
さらに、画像機器が人体を判定した時や、緊急コールボタンが押された時、火災／ガス漏れセンサが反応した時に、画像機器からの画像情報を情報端末装置を経由して情報処理サーバ装置に送信することができるので、異常時の状態を携帯電話を用いて容易に確認することができ、異常状態検出時の電話発呼に対する利便性、正確性、信頼性を向上させることができるようにしたものである。
【発明の効果】
【００１５】
本発明によれば、情報端末装置が各機器からの異常情報を受信した時に、それらの情報の優先度を判定し、その優先度に応じてそれぞれの登録された電話番号に電話連絡をし、さらに画像機器からの画像情報を情報処理サーバ装置に送信することによって、異常状態検出時の異常状態の確認を容易にすることができるようにしたものである。従って、異常状態検出時の電話発呼に対する利便性、正確性、信頼性を高めることができ、システムの信頼性を確実に向上させることができるという効果を有するものである。
【発明を実施するための最良の形態】
【００１６】
第１の発明は、機器に関する情報を収集する情報送受信部と、画像機器からの情報に基づいて電話発呼を行う情報処理部とを備えた情報端末装置からなり、前記画像機器が人体を検知した時に、前記画像機器からの情報に基づいて前記情報端末装置から指定された外部通信装置に電話発呼を行うことを特徴とする情報システムを提供するものである。
【００１７】
これによって、本発明は、画像機器を用いて人体を判定するので、画像機器とは別にセンサを用いる必要がなく、検知領域を広くすることができ、設置する機器数も少なくすることができ、コストも低く抑えることができ、異常状態検出時の電話発呼に対する利便性、正確性、信頼性を高めることができるものである。
【００１８】
第２の発明は、機器に関する情報を収集する情報送受信部と、画像機器からの情報に基づいて電話発呼を行う情報処理部とを備えた情報端末装置とからなり、前記画像機器が人体を検知した時に、前記画像機器からの情報に基づいて前記情報端末装置から指定された外部通信装置に電話発呼を行い、その後緊急コールボタンが押下された時、前記緊急コールボタンの指定された外部通信装置に電話発呼を行うことを特徴とする情報システムを提供するものである。
【００１９】
これによって、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、異常状態検出時の電話発呼に対する利便性、正確性、信頼性を高めることができるものである。
【００２０】
第３の発明は、機器に関する情報を収集する情報送受信部と、画像機器からの情報に基づいて電話発呼を行う情報処理部とを備えた情報端末装置とからなり、前記画像機器が人体を検知した時に、前記画像機器からの情報に基づいて前記情報端末装置から指定された外部通信装置に電話発呼を行い、その後緊急コールボタンが押下された時、前記緊急コールボタンの指定された外部通信装置に電話発呼を行い、その後火災／ガス漏れセンサが反応した時は、前記火災／ガス漏れセンサの指定された外部通信装置に電話発呼を行うことを特徴とする情報システムを提供するものである。
【００２１】
これによって、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができ、異常状態検出時の電話発呼に対する利便性、正確性、信頼性を高めることができるものである。
【００２２】
第４の発明は、機器に関する画像情報を収集する情報送受信部と、画像機器からの情報に基づいて電話発呼を行う情報処理部とを備えた情報端末装置と、前記情報端末装置との間で画像情報を送受信する情報処理サーバ装置とからなり、前記画像機器が人体を検知した時や緊急コールボタンが押下された時、火災／ガス漏れセンサが反応した時に、前記画像情報を前記情報端末装置を経由して、通信回線を介して情報処理サーバ装置に送信・保存し、前記情報端末装置で指定された外部通信装置に電話発呼を行うことを特徴とする情報システムを提供するものである。
【００２３】
これによって、本発明は、画像機器が人体を判定した時や、緊急コールボタンが押された時、火災／ガス漏れセンサが反応した時に、画像機器からの画像情報を情報端末装置を経由して情報処理サーバ装置に送信することができるので、異常時の状態を携帯電話を用いて容易に確認することができ、異常状態検出時の電話発呼に対する利便性、正確性、信頼性を高めることができるようにしたものである。
【００２４】
第５の発明は、機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記画像機器から前記情報端末装置に情報を送信するステップと、前記情報端末装置から指定された外部通信装置に電話発呼を行うステップとを備えてなる制御方法を提供するものである。
【００２５】
これによって、本発明は、画像機器を用いて人体を判定するので、画像機器とは別にセンサを用いる必要がなく、検知領域を広くすることができ、設置する機器数も少なくすることができ、コストも低く抑えることができ、異常状態検出時の電話発呼に対する利便性、正確性、信頼性を高めることができるものである。
【００２６】
第６の発明は、機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップと、緊急コールボタンが押下された後、前記緊急コールボタンから前記情報端末装置に情報を送信するステップと、前記緊急コールボタンの指定された外部通信装置に電話発呼を行うステップとを備えてなる制御方法を提供するものである。
【００２７】
これによって、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、異常状態検出時の電話発呼に対する利便性、正確性、信頼性を高めることができるものである。
【００２８】
第７の発明は、機器に関する情報を収集する情報送受信部と、画像機器からの情報に基づいて電話発呼を行う情報処理部とを備えた情報端末装置からなる情報システムの制御方法において、前記画像機器が人体を検知するステップと、前記画像機器が人体を検知した後、前記機器から前記情報端末装置に情報を送信するステップと、前記情報端末装置から指定された外部通信装置に電話発呼を行うステップと、緊急コールボタンが押下された後、前記緊急コールボタンから前記情報端末装置に情報を送信するステップと、前記緊急コールボタンの指定された外部通信装置に電話発呼を行うステップと、火災／ガス漏れセンサが反応した後、前記火災／ガス漏れセンサから前記情報端末装置に情報を送信するステップと、前記火災／ガス漏れセンサの指定された外部通信装置に電話発呼を行うステップとを備えてなる制御方法を提供するものである。
【００２９】
これによって、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができ、異常状態検出時の電話発呼に対する利便性、正確性、信頼性を高めることができるものである。
【００３０】
第８の発明は、機器に関する画像情報を収集する情報送受信部と、画像機器からの情報に基づいて電話発呼を行う情報処理部とを備えた情報端末装置と、前記情報端末装置との間で画像情報を送受信する情報処理サーバ装置とからなる情報システムの制御方法において、前記画像機器が人体を検知する、または緊急コールボタンが押下される、または火災／ガス漏れセンサが反応するステップと、前記画像機器、または緊急コールボタン、または火災／ガス漏れセンサからの情報を前記情報端末装置に送信するステップと、前記情報端末装置から指定された外部通信装置に電話発呼を行うステップと、前記画像機器が人体を検知した後、または緊急コールボタンが押下された後、または火災／ガス漏れセンサが反応した後、前記画像機器からの画像情報を前記情報端末装置に送信するステップと、前記画像機器からの画像情報を前記情報端末装置を経由して、通信回線を介して情報処理サーバ装置に送信するステップと、前記情報処理サーバ装置で前記画像情報を保存するステップとを備えてなる制御方法を提供するものである。
【００３１】
これによって、本発明は、画像機器が人体を判定した時や、緊急コールボタンが押された時、火災／ガス漏れセンサが反応した時に、画像機器からの画像情報を情報端末装置を経由して情報処理サーバ装置に送信することができるので、異常時の状態を携帯電話を用いて容易に確認することができ、異常状態検出時の電話発呼に対する利便性、正確性、信頼性を高めることができるようにしたものである。
【００３２】
第９の発明は、機器が人体を検知した時や緊急コールボタンが押下された時、火災／ガス漏れセンサが反応した時に、前記画像情報を前記情報端末装置を経由して、通信回線を介して情報処理サーバ装置に送信・保存し、前記情報端末装置で指定された外部通信装置に電話発呼を行うものとしてコンピュータに機能させるためのプログラムを提供するものである。
【００３３】
そして、プログラムであるので、電気・情報機器、コンピュータ、サーバ等のハードリソースを協働させて本発明の情報システム、情報端末装置の少なくとも一部を容易に実現することができる。また記録媒体に記録したり通信回線を用いてプログラムを配信したりすることでプログラムの配布・更新やそのインストール作業が簡単にできる。
【００３４】
以上のような構成とすることにより、本発明によれば、情報端末装置が各機器からの異常情報を受信した時に、それらの情報の優先度を判定し、その優先度に応じてそれぞれの登録された電話番号に電話連絡をし、さらに画像機器からの画像情報を情報処理サーバ装置に送信することによって、異常状態検出時の異常状態の確認を容易にしたものであり、異常状態検出時の電話発呼に対する利便性、正確性、信頼性を高めることができ、システムの信頼性を確実に向上させることができるものである。
【００３５】
すなわち、本発明は、各機器から異常状態を検知した時に情報端末装置から電話発呼を正確に優先度をつけて行うことができるので、人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができる。
【００３６】
以下、本発明の実施の形態について、図面を参照しながら説明する。なお、この実施の形態によって本発明が限定されるものではない。
【００３７】
（実施の形態１）
図１は、本発明の第１の実施の形態における情報システムのシステム全体を概略的に示す構成説明図を示すものである。以下に本実施の形態における構成を説明する。
【００３８】
図１に示す本実施の形態の情報システムは、各家庭１００に設置された画像機器としてのＣＣＤカメラ１５、緊急コールボタン（緊急呼出装置）１６、ガスセンサ１７、火災センサ１８等の機器を無線通信によって接続した情報端末装置１と、情報端末装置１を外部と接続するための回線接続手段４、外部のネットワークである宅外回線網（インターネット回線網）１２、携帯電話等の外部の通信装置１１、情報処理サーバ装置１０とから成る。この時の情報端末装置１の通信回線網は情報通信回線網であるデータ通信回線網１３と音声通信回線網１４とから成っている。このＣＣＤカメラは画像情報をもとに人体を判定することができ、その人体判定結果にもとづいて画像情報を情報端末装置に送信することができるものである。
【００３９】
本情報システムは、各機器等と無線通信によって接続されており、各機器からの情報収集を行い、各機器へのデータ送信を行う。これらの収集された情報や入力部によって入力されたデータ等を処理し、データ通信回線網１３、回線接続手段４および宅外回線網１２を経由して外部にある情報処理サーバ装置１０および携帯電話等の外部の通信装置１１と送受信することができるものである。また、情報端末装置１とカメラ１５とはＬＡＮケーブル等による有線接続であってもいい。
【００４０】
具体的には、通信機器の送受信は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網、回線接続手段を介して直接に情報処理サーバ装置にＡＤＳＬ接続することもできるものである。さらに、通信機器の送受信の接続回線網はＦＴＴＨのような光ファイバー網でもよい。
【００４１】
また、各機器からの情報収集を行い、各機器からのデータ受信を行う。これらの収集された情報によって入力されたデータ等を処理し、音声通信回線網１４、回線接続手段４および宅外回線網１２を経由して携帯電話等の外部の通信装置１１に連絡することができるものである。
【００４２】
また、端末機器は給湯器、温水利用システム、ガスメータ、電力メータ、水道メータ等でもよい。
【００４３】
このような情報システムにおいて、機器に関する機器情報を収集する情報送受信部と、機器からの情報に基づいて機器情報を記憶しておく情報処理部とを備えた情報端末装置と、情報端末装置との間で情報を送受信する情報処理サーバ装置と、外部からインターネットを介して情報処理サーバ装置に接続可能な外部通信装置とからなり、情報端末装置から外部通信装置に電話をかけることができる情報システムである。
【００４４】
例えば、玄関先の横にＣＣＤカメラ１５を設置しておき、カメラ１５が画像情報をもとに人体を判定した時にその人体検知異常情報を情報端末装置１に送信し、情報端末装置１ではその情報を受信して、情報端末装置１に登録されているカメラが反応した時に電話をかける緊急連絡先に、音声通信回線網１４を経由して携帯電話等の外部通信装置１１に電話をかける。これによってＣＣＤカメラ１５が人体を検知した時に、家人は外出していても情報端末装置１に登録されている携帯電話等の外部通信装置１１に緊急連絡をもらうことができる。
【００４５】
すなわち、本発明は、画像機器を用いて人体を判定するので、画像機器とは別にセンサを用いる必要がなく、検知領域を広くすることができ、設置する機器数も少なくすることができ、コストも低く抑えることができ、異常状態検出時の電話発呼に対する利便性、正確性、信頼性を高めることができるものである。
【００４６】
このように、不審者が徘徊するような場所に画像情報から人体を判定することができるネットワークカメラ１５を設置し、このカメラ１５が人体を検知した時に情報端末装置１に人体検知異常状態を送信し、情報端末装置１はその信号をもとに登録されている電話番号に電話をかけ、家人が外出していても緊急連絡を受けることができるものである。
【００４７】
次に本実施の形態の情報端末装置１について図面を参照しながら説明する。図２は本発明の第１の実施の形態で用いる情報端末装置１の機能ブロック図を示すものである。以下に本実施の形態における構成を説明する。
【００４８】
図２に示す本実施の形態の情報端末装置１は、データ通信処理部２３、音声通信処理部２４、情報処理部２５、情報収集部２６、情報送信部２７、情報送受信部２８とから構成されている。本情報端末装置１は、各機器等と無線通信２９によって接続されており、各機器からの情報収集を情報収集部２６によって行い、各機器へのデータ送信を情報送信部２７によって行う。
【００４９】
これらの収集された情報等は情報処理部２５によって処理し、データ通信処理部２３を用いて、ルーター２、回線接続手段４を経由して外部に送受信することができる。この時の通信回線網はＡＤＳＬ等のデータ通信回線網２０である。
【００５０】
また、情報送受信部２８を用いて機器からの情報を送受信した後、その機器からの異常緊急情報を情報処理部２５で処理し、外線電話に電話をかけ音声通信処理部２４を用いて外線電話と通信を行う。
【００５１】
このような情報端末装置１において、画像情報から人体を判定することができるネットワークカメラからの情報で、人体を検知した異常情報が情報送受信部２８を経由して送信されると、情報端末装置１の情報処理部２５で判断を行い、すでに登録されている緊急連絡先の電話番号に音声通信処理部２４を経由して電話をかけることができ、家人が外出していても緊急事態であることを認識することができる。
【００５２】
また、人体を検知するものがカメラのみであるので、センサ等の他の機器を設置する必要がなく、情報端末装置への登録機器を少なくすることができ、信号の送受信も少なくすることができるので、正確に人体検知の異常状態を受信することができる。
【００５３】
さらに、画像機器を用いて画像情報から人体を判定するので、画像機器とは別にセンサを用いる必要がなく、検知領域を広くすることができ、設置する機器数も少なくすることができ、コストも低く抑えることができ、異常状態検出時の電話発呼を正確に、高信頼性で行うことができるものである。
【００５４】
以上のような構成とすることにより、本実施の形態によれば、画像機器からの人体検知情報をもとに情報端末装置から外部に緊急電話をかけることができ、コストも低く抑えることができ、異常状態検出時の電話発呼を容易にしたものである。従って、異常状態検出時の電話発呼の利便性、正確性、信頼性を高めることができるものである。
【００５５】
次に、本実施の形態の制御方法について図面を参照しながら説明する。図３は同実施の形態に係るシステムの処理手順を示すフローチャートを示すものである。以下に本実施の形態におけるフローを説明する。
【００５６】
まず、機器として画像情報から人体を判定することができるネットワークカメラをリビング１５窓外に設置し情報端末装置１に登録する。登録した後、ネットワークカメラ１５を起動させて画像を取得できる状態にする（ステップＳ１）。起動した後、カメラ１５が取得した画像をもとにその移動物体が人体であるかどうか判定する（ステップＳ２）。この画像情報をもとに人体判定した結果人体であることを検知すると（ステップＳ３）、その人体検知異常状態の情報を情報端末装置１に有線または無線で送信する (ステップＳ４)。次に、この情報端末装置１が取得した情報をもとに、情報端末装置１に登録されている電話番号先に音声通信回線網を介して携帯電話等に緊急連絡をする（ステップＳ５）。
【００５７】
こうすることによって、不審者が徘徊したり侵入するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができ、異常状態検出時の電話発呼に対する利便性、信頼性を高め、システムの信頼性を確実に向上させることができる。
【００５８】
以上のような構成・手順とすることにより、本実施の形態によれば、画像機器からの画像情報を用いて人体を判定するので、画像機器とは別にセンサを用いる必要がなく、検知領域を広くすることができ、設置する機器数も少なくすることができ、コストも低く抑えることができ、人体を検出した異常状態検出時の電話発呼を容易にしたものである。従って、異常状態検出時の電話発呼に対する利便性、正確性、信頼性を高めることができ、システムの信頼性を確実に向上させることができるものである。
【００５９】
（実施の形態２）
実施の形態２の情報システムについて説明する。以下に本実施の形態における構成を説明する。
【００６０】
本実施の形態の情報システムは、図１と同様に各家庭１００に設置された画像機器としてのＣＣＤカメラ１５、緊急コールボタン１６、ガスセンサ１７、火災センサ１８等の機器を無線通信によって接続した情報端末装置１と、情報端末装置１を外部と接続するための回線接続手段４、外部のネットワークである宅外回線網（インターネット回線網）１２、携帯電話等の外部の通信装置１１、情報処理サーバ装置１０とから成る。この時の情報端末装置１の通信回線網は情報通信回線網であるデータ通信回線網１３、音声通信回線網１４とから成っている。このＣＣＤカメラは画像情報をもとに人体を判定することができ、その人体判定結果にもとづいて画像情報を情報端末装置に送信することができるものである。または、カメラとは別に人感センサ（図示せず）が設置されていて、その人感センサとカメラとが連動するものであってもよい。また、人感センサだけの設置でもよい。
【００６１】
このような情報システムにおいて、機器に関する機器情報を収集する情報送受信部と、機器からの情報に基づいて機器情報を記憶しておく情報処理部とを備えた情報端末装置１と、情報端末装置１との間で情報を送受信する情報処理サーバ装置１０と、外部からインターネットを介して情報処理サーバ装置１０に接続可能な外部通信装置とからなり、情報端末装置１から外部通信装置１１に電話をかけることができる情報システムである。
【００６２】
例えば、玄関先の横にＣＣＤカメラ１５を設置しておき、カメラ１５が画像情報をもとに人体を判定した時にその人体検知異常情報を情報端末装置１に送信し、情報端末装置１ではその情報を受信して、情報端末装置１に登録されているカメラが反応した時に電話をかける緊急連絡先に、音声通信回線網１４を経由して携帯電話等の外部通信装置１１に電話をかける。これによってＣＣＤカメラ１５が人体を検知した時に、家人は外出していても情報端末装置１に登録されている携帯電話等の外部通信装置１１に緊急連絡をもらうことができる。その後、留守番中の家人によって緊急コールボタン１６が押下された時、その緊急情報が情報端末装置１に送信され、情報端末装置１ではその情報をもとに緊急コールボタンが押下された時の緊急連絡先として登録されている携帯電話等の外部通信装置１１の電話番号に電話をかける。
【００６３】
なお、カメラ１５が人体を検知した時の緊急連絡先と緊急コールボタン１６が押下された時の緊急連絡先とが同一であってもいいし、異なっていてもいい。同一の場合は、電話中に緊急コールボタンが押下された旨を伝えることができる。また、異なっている場合は、電話を一旦切断して、緊急コールボタンが押下された時の別の緊急連絡先へ電話をかけることができる。
【００６４】
また、カメラ１５以外の人感センサで人体を検知した場合も同様に、その人体検知異常情報が情報端末装置１に送信され、情報端末装置１ではその情報を受信して、情報端末装置１に登録されている人感センサが反応した時に電話をかける緊急連絡先に、音声通信回線網１４を経由して携帯電話等の外部通信装置１１に電話をかける。これによって人感センサが人体を検知した時に、家人は外出していても情報端末装置１に登録されている携帯電話等の外部通信装置１１に緊急連絡をもらうことができる。その後、留守番中の家人によって緊急コールボタンが押下された時、その緊急情報が情報端末装置１に送信され、情報端末装置１ではその情報をもとに緊急コールボタン１６が押下された時の緊急連絡先として登録されている携帯電話等の外部通信装置１１の電話番号に電話をかける。
【００６５】
なお、留守番中の家人によって緊急コールボタン１６が先に押下された時、その緊急情報が情報端末装置１に送信され、情報端末装置１ではその情報をもとに緊急コールボタンが押下された時の緊急連絡先として登録されている携帯電話等の外部通信装置１１の電話番号に音声通信回線網１４を経由して電話をかける。これによって緊急コールボタン１６が押下されたので、外出中の家人は家で緊急事態が発生したと判断することができる。従って、その後、玄関先の横に設置されているＣＣＤカメラ１５が画像情報をもとに人体を判定して、その人体検知情報を情報端末装置１に送信しても、情報端末装置１ではその情報をもとに、外部に電話をかけることはしない。
【００６６】
すなわち、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、異常状態検出時の電話発呼に対する利便性、正確性、信頼性を高めることができるものである。
【００６７】
このように、不審者が徘徊するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができるものである。さらに、その後、留守中の家人によって緊急コールボタンが押下されたら、その緊急情報が情報端末装置に送信され、外での人体検知よりも緊急度が高いので、情報端末装置ではその情報をもとに緊急コールボタンが押下された時の緊急連絡先として登録されている携帯電話等の外部電話の電話番号に音声通信回線網を経由して電話をかけ、家人は外出していても家の中でより緊急な異常事態が発生したと判断することができるものである。
【００６８】
次に、本実施の形態の制御方法について図面を参照しながら説明する。図４は同実施の形態に係るシステムの処理手順を示すフローチャートを示すものである。以下に本実施の形態におけるフローを説明する。
【００６９】
まず、機器として画像情報から人体を判定することができるネットワークカメラ１５をリビング窓外に設置し情報端末装置１に登録する。また、緊急コールボタンを情報端末装置１に登録する。これらを登録した後、ネットワークカメラ１５を起動させて画像を取得できる状態にする（ステップＳ１１）。起動した後、カメラ１５が取得した画像をもとにその移動物体が人体であるかどうか判定する（ステップＳ１２）。この画像情報をもとに人体判定した結果人体であることを検知すると（ステップＳ１３）、その人体検知異常状態の情報を情報端末装置１に有線または無線で送信する (ステップＳ１４)。
【００７０】
次に、この情報端末装置１が取得した情報をもとに、情報端末装置１に登録されている電話番号先に音声通信回線網１４を介して携帯電話等に緊急連絡をする（ステップＳ１５）。その後、留守番中の家人によって緊急コールボタン１６が押下されると(ステップＳ１６)、その緊急情報が情報端末装置１に送信され(ステップＳ１７)、情報端末装置１ではその情報をもとに緊急コールボタンが押下された時の緊急連絡先として登録されている携帯電話等の外部通信装置１１の電話番号に電話をかける（ステップＳ１８）。
【００７１】
この時、カメラが人体を検知した時の緊急連絡先と緊急コールボタンが押下された時の緊急連絡先とが同一であってもいいし、異なっていてもいい。同一の場合は、電話中に緊急コールボタンが押下された旨を伝えることができる。また、異なっている場合は、電話を一旦切断して、緊急コールボタンが押下された時の別の緊急連絡先へ電話をかけることができる。
【００７２】
また、留守番中の家人によって緊急コールボタン１６が先に押下された時、その緊急情報が情報端末装置１に送信され、情報端末装置１ではその情報をもとに緊急コールボタン１６が押下された時の緊急連絡先として登録されている携帯電話等の外部通信装置１１の電話番号に音声通信回線網１４を経由して電話をかける。これによって緊急コールボタン１６が押下されたので、外出中の家人は家で緊急事態が発生したと判断することができる。従って、その後、玄関先の横に設置されているＣＣＤカメラ１５が画像情報をもとに人体を判定して、その人体検知情報を情報端末装置１に送信しても、情報端末装置１ではその情報をもとに、外部に電話をかけることはしない。
【００７３】
こうすることによって、不審者が徘徊したり侵入するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができ、画像機器が人体を検知して外部の携帯電話に電話をした後でも、緊急コールボタンが反応した場合は、その緊急コールボタンの指定された携帯電話に連絡することができ、異常状態検出時の電話発呼に対する利便性、正確性、信頼性を高め、システムの信頼性を確実に向上させることができる。
【００７４】
また、カメラ以外の人感センサで人体を検知した場合も同様に、その人体検知異常情報が情報端末装置に送信され、情報端末装置ではその情報を受信して、情報端末装置に登録されている人感センサが反応した時に電話をかける緊急連絡先に、音声通信回線網を経由して携帯電話等の外部通信装置に電話をかける。これによって人感センサが人体を検知した時に、家人は外出していても情報端末装置に登録されている携帯電話等の外部通信装置に緊急連絡をもらうことができる。その後、留守番中の家人によって緊急コールボタン１６が押下された時、その緊急情報が情報端末装置に送信され、情報端末装置ではその情報をもとに緊急コールボタンが押下された時の緊急連絡先として登録されている携帯電話等の外部電話の電話番号に電話をかける。
【００７５】
以上のような構成・手順とすることにより、本発明によれば、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、異常状態検出時の電話発呼を容易にすることができる。従って、異常状態検出時の電話発呼に対する利便性、正確性、信頼性を高めることができ、システムの信頼性を確実に向上させることができるものである。
【００７６】
（実施の形態３）
実施の形態３の情報システムについて説明する。以下に本実施の形態における構成を説明する。
【００７７】
本実施の形態の情報システムは、図１と同様に各家庭１００に設置された画像機器としてのＣＣＤカメラ１５、緊急コールボタン１６、ガスセンサ１７、火災センサ１８等の機器を無線通信によって接続した情報端末装置１と、情報端末装置１を外部と接続するための回線接続手段４、外部のネットワークである宅外回線網（インターネット回線網など）１２、携帯電話等の外部の通信装置１１、情報処理サーバ装置１０とから成る。
【００７８】
この時の情報端末装置１の通信回線網は情報通信回線網であるデータ通信回線網１３、音声通信回線網１４とから成っている。このＣＣＤカメラは画像情報をもとに人体を判定することができ、その人体判定結果にもとづいて画像情報を情報端末装置に送信することができるものである。または、カメラとは別に人感センサが設置されていて、その人感センサとカメラとが連動するものであってもよい。また、人感センサだけの設置でもよい。
【００７９】
このような情報システムにおいて、機器に関する機器情報を収集する情報送受信部と、機器からの情報に基づいて機器情報を記憶しておく情報処理部とを備えた情報端末装置１と、情報端末装置１との間で情報を送受信する情報処理サーバ装置１０と、外部からインターネットを介して情報処理サーバ装置１０に接続可能な外部通信装置１１とからなり、情報端末装置１から外部通信装置１１に電話をかけることができる情報システムである。
【００８０】
例えば、玄関先の横にＣＣＤカメラ１５を設置しておき、カメラ１５が画像情報をもとに人体を判定した時にその人体検知異常情報を情報端末装置１に送信し、情報端末装置１ではその情報を受信して、情報端末装置１に登録されているカメラが反応した時に電話をかける緊急連絡先に、音声通信回線網１４を経由して携帯電話等の外部通信装置１１に電話をかける。これによってＣＣＤカメラ１５が人体を検知した時に、家人は外出していても情報端末装置１に登録されている携帯電話等の外部通信装置１１に緊急連絡をもらうことができる。
【００８１】
その後、留守番中の家人によって緊急コールボタン１６が押下された時、その緊急情報が情報端末装置１に送信され、情報端末装置１ではその情報をもとに緊急コールボタン１６が押下された時の緊急連絡先として登録されている携帯電話等の外部電話の電話番号に電話をかける。さらに、その後、家庭内の火災／ガス漏れセンサ１７，１８が反応した時は、その緊急異常情報を情報端末装置１に送信し、情報端末装置１ではその情報を受信して、情報端末装置１に登録されている火災／ガス漏れセンサ１７，１８の反応した時にかける緊急連絡先に、音声通信回線網１４を経由して携帯電話等の外部通信装置１１に電話をかける。
【００８２】
なお、カメラ１５が人体を検知した時と緊急コールボタン１６が押下された時と火災／ガス漏れセンサ１７，１８が反応した時のそれぞれの緊急連絡先とが同一であってもいいし、異なっていてもいい。同一の場合は、電話中に緊急コールボタン１６が押下された旨や火災／ガス漏れセンサ１７，１８が反応した旨を伝えることができる。また、異なっている場合は、電話を一旦切断して、緊急コールボタン１６が押下された時や火災／ガス漏れセンサ１７，１８が反応した時の別の緊急連絡先へ電話をかけることができる。
【００８３】
また、カメラ以外の人感センサで人体を検知した場合も同様に、その人体検知異常情報が情報端末装置に送信され、情報端末装置ではその情報を受信して、情報端末装置に登録されている人感センサが反応した時に電話をかける緊急連絡先に、音声通信回線網を経由して携帯電話等の外部通信装置に電話をかける。これによって人感センサが人体を検知した時に、家人は外出していても情報端末装置に登録されている携帯電話等の外部通信装置に緊急連絡をもらうことができる。
【００８４】
その後、家庭内の火災／ガス漏れセンサが反応した時は、その緊急異常情報を情報端末装置に送信し、情報端末装置ではその情報を受信して、情報端末装置に登録されている火災／ガス漏れセンサの反応した時にかける緊急連絡先に、音声通信回線網を経由して携帯電話等の外部通信装置に電話をかける。これによって火災／ガス漏れセンサが反応したことがわかるので、外出中の家人は家で火災が発生している緊急事態であると判断することができ、すぐに次の行動をとることができる。
【００８５】
さらに、その後緊急コールボタンが押下されると、その緊急情報は情報端末装置に送信され、情報端末装置ではその情報をもとにすでに火災／ガス漏れセンサの反応した時にかける緊急連絡先に電話をかけていることを判断し、緊急コールボタンが押下された時の緊急連絡先として登録されている携帯電話等の外部電話の電話番号に電話をかけることはしない。
【００８６】
すなわち、本発明は、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、さらに、その後火災／ガス漏れセンサが反応すると、情報端末装置に登録されている火災／ガス漏れセンサの指定された電話番号に電話をすることができ、異常状態検出時の電話発呼に対する利便性、正確性、信頼性を高めることができるものである。
【００８７】
このように、不審者が徘徊するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができるものである。さらに、その後、留守中の家人によって緊急コールボタンが押下されたら、その緊急情報が情報端末装置に送信され、外での人体検知よりも緊急度が高いので、情報端末装置ではその情報をもとに緊急コールボタンが押下された時の緊急連絡先として登録されている携帯電話等の外部電話の電話番号に音声通信回線網を経由して電話をかけ、家人は外出していても家の中でより緊急な異常事態が発生したと判断することができるものである。
【００８８】
また、さらに、その後家の中の火災／ガス漏れセンサが反応すると、その緊急異常情報が情報端末装置に送信され、人体検知や緊急コールよりも緊急度が高いので、情報端末装置ではその情報をもとに火災／ガス漏れセンサが反応した時の緊急連絡先として登録されている携帯電話等の外部電話の電話番号に音声通信回線網を経由して電話をかけ、家人は外出していても家の中で火災が発生しているという緊急な異常事態であると判断することができ、次の行動を迅速に取ることができるものである。
【００８９】
次に、本実施の形態の制御方法について図面を参照しながら説明する。図５は同実施の形態に係るシステムの処理手順を示すものである。以下に本実施の形態におけるフローを説明する。
【００９０】
まず、機器として画像情報から人体を判定することができるネットワークカメラ１５をリビング窓外に設置し情報端末装置に登録する。また、緊急コールボタン１６、火災センサ１８を情報端末装置１に登録する。これらを登録した後、ネットワークカメラ１５を起動させて画像を取得できる状態にする。また、火災センサ１８も常に火災発生のセンシングを行っておく。これらが起動した後、カメラ１５が取得した画像をもとにその移動物体が人体であるかどうか判定する。この画像情報をもとに人体判定した結果人体であることを検知すると（ステップＳ２１）、その人体検知異常状態の情報を情報端末装置１に有線または無線で送信する (ステップＳ２２)。
【００９１】
次に、この情報端末装置１が取得した情報をもとに、情報端末装置１に登録されている電話番号先に音声通信回線網を介して携帯電話等に緊急連絡をする（ステップＳ２３）。その後、留守番中の家人によって緊急コールボタン１６が押下されると(ステップＳ２４)、その緊急情報が情報端末装置１に送信され(ステップＳ２５)、情報端末装置１ではその情報をもとに緊急コールボタン１６が押下された時の緊急連絡先として登録されている携帯電話等の外部通信装置１１の電話番号に電話をかける（ステップＳ２６）。
【００９２】
さらに、その後、家庭内の火災センサ１８が反応すると（ステップＳ２７）、その緊急異常情報を情報端末装置１に送信し、情報端末装置１ではその情報を受信して（ステップＳ２８）、情報端末装置１に登録されている火災センサ１８の反応した時にかける緊急連絡先に、音声通信回線網１４を経由して携帯電話等の外部通信装置１１に電話をかける(ステップＳ２９)。
【００９３】
この時、カメラ１５が人体を検知した時と緊急コールボタン１６が押下された時と火災／ガス漏れセンサ１７，１８が反応した時のそれぞれの緊急連絡先とが同一であってもいいし、異なっていてもいい。同一の場合は、電話中に緊急コールボタンが押下された旨や火災／ガス漏れセンサが反応した旨を伝えることができる。また、異なっている場合は、電話を一旦切断して、緊急コールボタンが押下された時や火災／ガス漏れセンサが反応した時の別の緊急連絡先へ電話をかけることができる。
【００９４】
また、火災センサ１８が先に反応した時、その緊急情報が情報端末装置１に送信され、情報端末装置１ではその情報をもとに火災センサが反応した時の緊急連絡先として登録されている携帯電話等の外部通信装置１１の電話番号に音声通信回線網１４を経由して電話をかける。これによって火災センサが反応したことがわかるので、外出中の家人は家で火災が発生している緊急事態であると判断することができ、すぐに次の行動をとることができる。
【００９５】
従って、その後、玄関先の横に設置されているＣＣＤカメラ１５が画像情報をもとに人体を判定し、また緊急コールリモコン１６が押下されて、その検知情報を情報端末装置１に送信しても、情報端末装置１ではすでに最優先である火災／ガス漏れセンサ１７，１８に関する緊急連絡を外部と取っているので、それらの情報をもとに外部に電話をかけることはしない。
【００９６】
このように、不審者が徘徊するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができるものである。
【００９７】
さらに、その後、留守中の家人によって緊急コールボタンが押下されたら、その緊急情報が情報端末装置に送信され、外での人体検知よりも緊急度が高いので、情報端末装置ではその情報をもとに緊急コールボタンが押下された時の緊急連絡先として登録されている携帯電話等の外部電話の電話番号に音声通信回線網を経由して電話をかけ、家人は外出していても家の中でより緊急な異常事態が発生したと判断することができるものである。
【００９８】
また、さらに、その後、家の中の火災／ガス漏れセンサが反応すると、その緊急異常情報が情報端末装置に送信され、外での人体検知や緊急コールよりも緊急度が高いので、情報端末装置ではその情報をもとに火災／ガス漏れセンサが反応した時の緊急連絡先として登録されている携帯電話等の外部電話の電話番号に音声通信回線網を経由して電話をかけ、家人は外出していても家の中で火災が発生しているという緊急な異常事態であると判断することができ、次の行動を迅速に取ることができるものである。
【００９９】
また、カメラ以外の人感センサで人体を検知した場合も同様に、その人体検知異常情報が情報端末装置に送信され、情報端末装置ではその情報を受信して、情報端末装置に登録されている人感センサが反応した時に電話をかける緊急連絡先に、音声通信回線網を経由して携帯電話等の外部通信装置に電話をかける。これによって人感センサが人体を検知した時に、家人は外出していても情報端末装置に登録されている携帯電話等の外部通信装置に緊急連絡をもらうことができる。
【０１００】
その後、家庭内の火災／ガス漏れセンサが反応した時は、その緊急異常情報を情報端末装置に送信し、情報端末装置ではその情報を受信して、情報端末装置に登録されている火災／ガス漏れセンサの反応した時にかける緊急連絡先に、音声通信回線網を経由して携帯電話等の外部通信装置に電話をかける。これによって火災／ガス漏れセンサが反応したことがわかるので、外出中の家人は家で火災が発生している緊急事態であると判断することができ、すぐに次の行動をとることができる。
【０１０１】
以上のような構成・手順とすることにより、本実施の形態によれば、各機器が異常状態を検知した時に情報端末装置から電話発呼を正確に優先度をつけて行うことができるので、画像機器が人体を検知して外部の携帯電話に電話をした後でも、緊急コールボタンが反応した場合は、その緊急コールボタンの指定された携帯電話に連絡することができ、さらに、その後、火災／ガス漏れセンサが反応すると、情報端末装置に登録されている火災／ガス漏れセンサの指定された電話番号に電話をすることができ、異常状態検出時の電話発呼を容易にすることができる。従って、異常状態検出時の電話発呼に対する利便性、正確性、信頼性を高めることができ、システムの信頼性を確実に向上させることができるものである。
【０１０２】
（実施の形態４）
実施の形態４の情報システムについて説明する。以下に本実施の形態における構成を説明する。
【０１０３】
本実施の形態の情報システムは、図１と同様に各家庭１００に設置された画像機器としてのＣＣＤカメラ１５、緊急コールボタン１６、ガスセンサ１７、火災センサ１８等の機器を無線通信によって接続した情報端末装置１と、情報端末装置１を外部と接続するための回線接続手段４、外部のネットワークである宅外回線網（インターネット回線網）１２、携帯電話等の外部の通信装置１１、情報処理サーバ装置１０とから成る。この時の情報端末装置１の通信回線網は情報通信回線網であるデータ通信回線網１３、音声通信回線網１４とから成っている。このＣＣＤカメラは画像情報をもとに人体を判定することができ、その人体判定結果にもとづいて画像情報を情報端末装置に送信することができるものである。または、カメラとは別に人感センサが設置されていて、その人感センサとカメラとが連動するものであってもよい。
【０１０４】
このような情報システムにおいて、機器に関する機器情報を収集する情報送受信部と、機器からの情報に基づいて機器情報を記憶しておく情報処理部とを備えた情報端末装置１と、情報端末装置１との間で情報を送受信する情報処理サーバ装置１０と、外部からインターネットを介して情報処理サーバ装置１０に接続可能な外部通信装置１１とからなり、情報端末装置１から外部通信装置１１に電話をかけると同時に、外部通信装置１１から情報処理サーバ装置１０へインターネットを介して接続を行い、情報処理サーバ装置１０へ送信された画像情報を取得し、確認することができる情報システムである。
【０１０５】
例えば、玄関先の横にＣＣＤカメラ１５を設置しておき、カメラ１５が画像情報をもとに人体を判定した時にその人体検知異常情報である画像情報を情報端末装置１に送信し、情報端末装置１ではその画像情報を受信して、情報端末装置１に登録されているカメラ１５が反応した時に電話をかける緊急連絡先に、音声通信回線網１４を経由して携帯電話等の外部通信装置１１に電話をかけ、画像情報を情報処理サーバ装置１０に送信する。これによってＣＣＤカメラ１５が人体を検知した時に、家人は外出していても情報端末装置１に登録されている携帯電話等の外部通信装置１１に緊急連絡をもらうことができ、その時の家の様子を携帯電話から画像情報を見ることによって確認することができる。
【０１０６】
その後、留守番中の家人によって緊急コールボタン１６が押下された時、その緊急情報が情報端末装置１に送信され、情報端末装置１ではその情報をもとに緊急コールボタン１６が押下された時の緊急連絡先として登録されている携帯電話等の外部通信装置１１の電話番号に電話をかける。と同時に、情報端末装置１から家の中に設置しているＣＣＤカメラ１５に画像情報を要求し、ＣＣＤカメラ１５から情報端末装置１に画像情報を送信し、この画像情報を情報端末装置１は情報処理サーバ装置１０に送信する。これによって緊急コールボタン１６が押下された時に、家人は外出していても情報端末装置１に登録されている携帯電話等の外部通信装置１１に緊急連絡をもらうことができ、その時の留守番中の家人の様子を携帯電話から画像情報を見ることによって確認することができる。
【０１０７】
さらに、その後、家庭内の火災／ガス漏れセンサ１７，１８が反応した時は、その緊急異常情報を情報端末装置１に送信し、情報端末装置１ではその情報を受信して、情報端末装置１に登録されている火災／ガス漏れセンサ１７，１８の反応した時にかける緊急連絡先に、音声通信回線網１４を経由して携帯電話等の外部通信装置１１に電話をかける。と同時に、情報端末装置１から家の中に設置しているＣＣＤカメラ１５に画像情報を要求し、ＣＣＤカメラ１５から情報端末装置１に画像情報を送信し、この画像情報を情報端末装置１は情報処理サーバ装置１０に送信する。これによって火災／ガス漏れセンサ１７，１８が反応した時に、家人は外出していても情報端末装置１に登録されている携帯電話等の外部通信装置１１に緊急連絡をもらうことができ、その時の家の内部の様子を携帯電話から画像情報を見ることによって確認することができる。
【０１０８】
カメラ１５が人体を検知した時と緊急コールボタン１６が押下された時と火災／ガス漏れセンサ１７，１８が反応した時のそれぞれの緊急連絡先とが同一であってもいいし、異なっていてもいい。同一の場合は、電話中に緊急コールボタンが押下された旨や火災／ガス漏れセンサが反応した旨を伝えることができる。また、異なっている場合は、電話を一旦切断して、緊急コールボタンが押下された時や火災／ガス漏れセンサが反応した時の別の緊急連絡先へ電話をかけることができる。
【０１０９】
また、カメラ以外の人感センサで人体を検知した場合も同様に、その人体検知画像情報が情報端末装置に送信され、情報端末装置ではその画像情報を受信して、情報端末装置に登録されている人感センサが反応した時に電話をかける緊急連絡先に、音声通信回線網を経由して携帯電話等の外部通信装置に電話をかけ、画像情報を情報処理サーバ装置に送信する。これによって人感センサが人体を検知した時に、家人は外出していても情報端末装置に登録されている携帯電話等の外部通信装置に緊急連絡をもらうことができ、その時の家の様子を携帯電話から画像情報を見ることによって確認することができる。
【０１１０】
その後、家庭内の火災／ガス漏れセンサが反応した時は、その緊急異常情報を情報端末装置に送信し、情報端末装置ではその情報を受信して、情報端末装置に登録されている火災／ガス漏れセンサの反応した時にかける緊急連絡先に、音声通信回線網を経由して携帯電話等の外部通信装置に電話をかける。と同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって火災／ガス漏れセンサが反応したことがわかり、その時の家の内部の様子を携帯電話から画像情報を見ることによって確認することができるので、外出中の家人は家で火災が発生している緊急事態であると判断することができ、すぐに次の行動をとることができる。
【０１１１】
さらに、その後、緊急コールボタンが押下されると、その緊急情報は情報端末装置に送信され、情報端末装置ではその情報をもとにすでに火災／ガス漏れセンサの反応した時にかける緊急連絡先に電話をかけていることを判断し、緊急コールボタンが押下された時の緊急連絡先として登録されている携帯電話等の外部電話の電話番号に電話をかけることはしない。また、情報端末装置からＣＣＤカメラに対して画像情報の要求もしない。
【０１１２】
すなわち、本発明は、画像機器が人体を判定した時や、緊急コールボタンが押された時、火災／ガス漏れセンサが反応した時など、各機器が異常状態を検知した時に情報端末装置から電話発呼を正確に優先度をつけて行うことができ、同時に画像機器からの画像情報を情報端末装置を経由して情報処理サーバ装置に送信することができるので、異常時の状態を携帯電話を用いて容易に確認することができ、異常状態検出時の電話発呼に対する利便性、正確性、信頼性を高めることができるようにしたものである。
【０１１３】
このように、不審者が徘徊するような場所に画像情報から人体を判定することができるネットワークカメラを設置し、このカメラが人体を検知した時に情報端末装置に人体検知画像情報を送信し、情報端末装置はその情報をもとに登録されている電話番号に電話をかけ、家人が外出していても緊急連絡を受けることができるものである。それと同時に画像情報を情報処理サーバ装置に送信する。これによってＣＣＤカメラが人体を検知した時に、家人は外出していても情報端末装置に登録されている携帯電話等の外部通信装置に緊急連絡をもらうことができ、その時の家の様子を携帯電話から画像情報を見ることによって確認することができる。
【０１１４】
さらに、その後、留守中の家人によって緊急コールボタンが押下されたら、その緊急情報が情報端末装置に送信され、外での人体検知よりも緊急度が高いので、情報端末装置ではその情報をもとに緊急コールボタンが押下された時の緊急連絡先として登録されている携帯電話等の外部電話の電話番号に音声通信回線網を経由して電話をかける。同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって緊急コールボタンが押下された時に、家人は外出していても情報端末装置に登録されている携帯電話等の外部通信装置に緊急連絡をもらうことができ、その時の留守番中の家人の様子を携帯電話から画像情報を見ることによって確認することができ、家の中でより緊急な異常事態が発生したかどうか判断することができるものである。
【０１１５】
また、さらに、その後家の中の火災／ガス漏れセンサが反応すると、その緊急異常情報が情報端末装置に送信され、外での人体検知や緊急コールよりも緊急度が高いので、情報端末装置ではその情報をもとに火災／ガス漏れセンサが反応した時の緊急連絡先として登録されている携帯電話等の外部電話の電話番号に音声通信回線網を経由して電話をかける。と同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって火災／ガス漏れセンサが反応した時に、家人は外出していても情報端末装置に登録されている携帯電話等の外部通信装置に緊急連絡をもらうことができ、その時の家の内部の様子を携帯電話から画像情報を見ることによって確認することができ、家の中のどこかで火災が発生しているという緊急な異常事態であると判断することができ、次の行動を迅速に取ることができるものである。
【０１１６】
次に、本実施の形態の制御方法について図面を参照しながら説明する。図６は同実施の形態に係るシステムの処理手順を示すものである。以下に本実施の形態におけるフローを説明する。
【０１１７】
まず、機器として画像情報から人体を判定することができるネットワークカメラ１５をリビング窓外に設置し情報端末装置１に登録する。また、緊急コールボタン１６、火災センサ１８を情報端末装置に登録する。これらを登録した後、ネットワークカメラを起動させて画像を取得できる状態にする。また、火災センサも常に火災発生のセンシングを行っておく。これらが起動した後、カメラが取得した画像をもとにその移動物体が人体であるかどうか判定する。
【０１１８】
この画像情報をもとに人体判定した結果人体であることを検知すると（ステップＳ３１）、その人体検知異常状態の情報を情報端末装置１に有線または無線で送信する (ステップＳ３２)。次に、この情報端末装置１が取得した情報をもとに、情報端末装置１に登録されている電話番号先に音声通信回線網１４を介して携帯電話１１等に緊急連絡をする（ステップＳ３３）。それと同時に取得した画像情報を情報処理サーバ装置１０に送信し、保存する(ステップＳ３４)。これによってＣＣＤカメラ１５が人体を検知した時に、家人は外出していても情報端末装置１に登録されている携帯電話等の外部通信装置１１に緊急連絡をもらうことができ、その時の家の様子を携帯電話１１から画像情報を見ることによって確認することができる。
【０１１９】
その後、留守番中の家人によって緊急コールボタン１６が押下されると(ステップＳ３５)、その緊急情報が情報端末装置１に送信され(ステップＳ３６)、情報端末装置１ではその情報をもとに緊急コールボタン１６が押下された時の緊急連絡先として登録されている携帯電話等の外部通信装置１１の電話番号に電話をかける（ステップＳ３７）。同時に、情報端末装置１から家の中に設置しているＣＣＤカメラ１５に画像情報を要求し（ステップＳ３８）、ＣＣＤカメラ１５から情報端末装置１に画像情報を送信し（ステップＳ３９）、この画像情報を情報端末装置１は情報処理サーバ装置１０に送信し保存する（ステップＳ４０）。
【０１２０】
これによって緊急コールボタンが押下された時に、家人は外出していても情報端末装置に登録されている携帯電話等の外部通信装置に緊急連絡をもらうことができ、その時の留守番中の家人の様子を携帯電話から画像情報を見ることによって確認することができ、家の中でより緊急な異常事態が発生したかどうか判断することができるものである。
【０１２１】
さらに、その後、家庭内の火災センサ１８が反応すると（ステップＳ４１）、その緊急異常情報を情報端末装置１に送信し、情報端末装置１ではその情報を受信して（ステップＳ４２）、情報端末装置１に登録されている火災センサ１８の反応した時にかける緊急連絡先に、音声通信回線網１４を経由して携帯電話等の外部通信装置１１に電話をかける(ステップＳ４３)。同時に、情報端末装置１から家の中に設置しているＣＣＤカメラ１５に画像情報を要求し（ステップＳ４４）、ＣＣＤカメラ１５から情報端末装置１に画像情報を送信し（ステップＳ４５）、この画像情報を情報端末装置は情報処理サーバ装置に送信し、保存する（ステップＳ４６）。
【０１２２】
これによって火災／ガス漏れセンサが反応した時に、家人は外出していても情報端末装置に登録されている携帯電話等の外部通信装置に緊急連絡をもらうことができ、その時の家の内部の様子を携帯電話から画像情報を見ることによって確認することができ、家の中のどこかで火災が発生しているという緊急な異常事態であると判断することができ、次の行動を迅速に取ることができるものである。
【０１２３】
この時、カメラが人体を検知した時と緊急コールボタンが押下された時と火災／ガス漏れセンサが反応した時のそれぞれの緊急連絡先とが同一であってもいいし、異なっていてもいい。同一の場合は、電話中に緊急コールボタンが押下された旨や火災／ガス漏れセンサが反応した旨を伝えることができる。また、異なっている場合は、電話を一旦切断して、緊急コールボタンが押下された時や火災／ガス漏れセンサが反応した時の別の緊急連絡先へ電話をかけることができる。
【０１２４】
また、火災センサが先に反応した時、その緊急情報が情報端末装置に送信され、情報端末装置ではその情報をもとに火災センサが反応した時の緊急連絡先として登録されている携帯電話等の外部電話の電話番号に音声通信回線網を経由して電話をかける。同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって火災／ガス漏れセンサが反応した時に、家人は外出していても情報端末装置に登録されている携帯電話等の外部通信装置に緊急連絡をもらうことができ、その時の家の内部の様子を携帯電話から画像情報を見ることによって確認することができ、家の中のどこかで火災が発生しているという緊急な異常事態であると判断することができ、次の行動を迅速に取ることができるものである。
【０１２５】
従って、その後、玄関先の横に設置されているＣＣＤカメラが画像情報をもとに人体を判定し、また緊急コールリモコンが押下されて、その検知情報を情報端末装置に送信しても、情報端末装置ではすでに最優先である火災／ガス漏れセンサに関する緊急連絡を外部と取っているので、それらの情報をもとに外部に電話をかけることはしない。また、情報端末装置からＣＣＤカメラに対して画像情報の要求もしない。
【０１２６】
このように、不審者が徘徊するような場所に画像情報から人体を判定することができるネットワークカメラを設置し、このカメラが人体を検知した時に情報端末装置に人体検知異常状態を送信し、情報端末装置はその信号をもとに登録されている電話番号に電話をかけ、家人が外出していても緊急連絡を受けることができ、さらに画像情報を情報処理サーバ装置に送信する。これによってＣＣＤカメラが人体を検知した時に、家人は外出していても情報端末装置に登録されている携帯電話等の外部通信装置に緊急連絡をもらうことができ、その時の家の様子を携帯電話から画像情報を見ることによって確認することができるものである。
【０１２７】
さらに、その後、留守中の家人によって緊急コールボタンが押下されたら、その緊急情報が情報端末装置に送信され、外での人体検知よりも緊急度が高いので、情報端末装置ではその情報をもとに緊急コールボタンが押下された時の緊急連絡先として登録されている携帯電話等の外部電話の電話番号に音声通信回線網を経由して電話をかける。同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって緊急コールボタンが押下された時に、家人は外出していても情報端末装置に登録されている携帯電話等の外部通信装置に緊急連絡をもらうことができ、その時の留守番中の家人の様子を携帯電話から画像情報を見ることによって確認することができ、家の中でより緊急な異常事態が発生したかどうか判断することができるものである。
【０１２８】
また、さらに、その後、家の中の火災／ガス漏れセンサが反応すると、その緊急異常情報が情報端末装置に送信され、人体検知や緊急コールよりも緊急度が高いので、情報端末装置ではその情報をもとに火災／ガス漏れセンサが反応した時の緊急連絡先として登録されている携帯電話等の外部電話の電話番号に音声通信回線網を経由して電話をかける。同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって火災／ガス漏れセンサが反応した時に、家人は外出していても情報端末装置に登録されている携帯電話等の外部通信装置に緊急連絡をもらうことができ、その時の家の内部の様子を携帯電話から画像情報を見ることによって緊急な異常事態を確認することができ、家の中のどこで火災が発生しているかということを判断することができ、次の行動を迅速に取ることができるものである。
【０１２９】
また、カメラ以外の人感センサで人体を検知した場合も同様に、その人体検知画像情報が情報端末装置に送信され、情報端末装置ではその画像情報を受信して、情報端末装置に登録されている人感センサが反応した時に電話をかける緊急連絡先に、音声通信回線網を経由して携帯電話等の外部通信装置に電話をかけ、画像情報を情報処理サーバ装置に送信する。これによって人感センサが人体を検知した時に、家人は外出していても情報端末装置に登録されている携帯電話等の外部通信装置に緊急連絡をもらうことができ、その時の家の様子を携帯電話から画像情報を見ることによって確認することができる。
【０１３０】
その後、家庭内の火災／ガス漏れセンサが反応した時は、その緊急異常情報を情報端末装置に送信し、情報端末装置ではその情報を受信して、情報端末装置に登録されている火災／ガス漏れセンサの反応した時にかける緊急連絡先に、音声通信回線網を経由して携帯電話等の外部通信装置に電話をかける。と同時に、情報端末装置から家の中に設置しているＣＣＤカメラに画像情報を要求し、ＣＣＤカメラから情報端末装置に画像情報を送信し、この画像情報を情報端末装置は情報処理サーバ装置に送信する。これによって火災／ガス漏れセンサが反応したことがわかり、その時の家の内部の様子を携帯電話から画像情報を見ることによって確認することができるので、外出中の家人は家で火災が発生している緊急事態であると判断することができ、すぐに次の行動をとることができる。
【０１３１】
さらに、その後緊急コールボタンが押下されると、その緊急情報は情報端末装置に送信され、情報端末装置ではその情報をもとにすでに火災／ガス漏れセンサの反応した時にかける緊急連絡先に電話をかけていることを判断し、緊急コールボタンが押下された時の緊急連絡先として登録されている携帯電話等の外部電話の電話番号に電話をかけることはしない。また、情報端末装置からＣＣＤカメラに対して画像情報の要求もしない。
【０１３２】
以上のような構成・手順とすることにより、本実施の形態によれば、画像機器が人体を判定した時や、緊急コールボタンが押された時、火災／ガス漏れセンサが反応した時など、各機器が異常状態を検知した時に情報端末装置から電話発呼を正確に優先度をつけて行うことができ、同時に画像機器からの画像情報を情報端末装置を経由して情報処理サーバ装置に送信することができるので、異常時の状態を携帯電話を用いて容易に確認することができ、異常状態検出時の電話発呼を容易にすることができる。従って、異常状態検出時の電話発呼に対する利便性、正確性、信頼性を高めることができ、システムの信頼性を確実に向上させることができるものである。
【０１３３】
なお、今までの実施の形態ではブロードバンドのインターネット回線としてＡＤＳＬで説明したが、これに限らずあらゆる通信方式であってもよい。
【０１３４】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１３５】
以上のように、本発明にかかる情報システム、制御方法、およびそのプログラムは、情報端末装置が各機器からの異常情報を受信した時に、それらの情報の優先度を判定し、その優先度に応じてそれぞれの登録された電話番号に電話連絡をし、さらに画像機器からの画像情報を情報処理サーバ装置に送信することによって、異常状態検出時の異常状態の確認を容易にしたものであり、異常状態検出時の電話発呼に対する利便性、正確性、信頼性を高めることができ、システムの信頼性を確実に向上させることができ、家庭内全てのネットワークシステムに対しても有用である。
【図面の簡単な説明】
【０１３６】
【図１】本発明の第１の実施の形態に係る情報システム全体を概略的に示す構成説明図
【図２】同実施の形態で用いる情報端末装置の機能ブロック図
【図３】同実施の形態に係るシステムの処理手順を示すフローチャート
【図４】本発明の第２の実施の形態に係るシステムの処理手順を示すフローチャート
【図５】本発明の第３の実施の形態に係るシステムの処理手順を示す図
【図６】本発明の第４の実施の形態に係るシステムの処理手順を示す図
【符号の説明】
【０１３７】
１  情報端末装置
１０  情報処理サーバ装置
１１  通信装置
１２  宅外回線網（インターネット回線網）
１３  データ通信回線網
１４  音声通信回線網
１５  カメラ（画像機器）
１６  緊急コールボタン
１７  ガスセンサ
１８  火災センサ
２３  データ通信処理部
２４  音声通信処理部
２５  情報処理部
２８  情報送受信部
【図１】
2006140877.tif 000003
【図２】
2006140877.tif 000004
【図３】
2006140877.tif 000005
【図４】
2006140877.tif 000006
【図５】
2006140877.tif 000007
【図６】
2006140877.tif 000008